(57)【要約】  マルチネットワークジョイント伝送を行うシステム、ユーザ装置及び方法であって、当該システムは、コアネットワーク及びアクセスネットワークを含み、アクセスネットワークは、３ＧＰＰアクセスネットワークのネットエレメント及びＷＬＡＮアクセスネットワークのネットエレメントを含み、コアネットワークは３ＧＰＰコアネットワークのネットエレメントを含み、３ＧＰＰアクセスネットワークのネットエレメントはネットワークインターフェースを介してコアネットワークのネットエレメントに接続され、トラフィック分配インターフェースを介してＷＬＡＮアクセスネットワークのネットエレメントに接続され、３ＧＰＰ無線インターフェースを介してユーザ装置に接続され、受信した上りユーザデータを結合することに用いられ、さらに下りユーザデータをトラフィック分配することに用いられ、一部の下りユーザデータをＷＬＡＮアクセスネットワークのネットエレメントにトラフィック分配し、ＷＬＡＮアクセスネットワークのネットエレメントはＷＬＡＮ無線インターフェースを介してユーザ装置に接続され、３ＧＰＰアクセスネットワークのネットエレメントとユーザ装置との間に上りユーザデータ及び下りユーザデータを伝送することに用いられる。本発明によりネットワークロードを軽減させ、周波数帯域及びコストを節約する。【選択図】図１
2015519792.tif 000002
【特許請求の範囲】
【請求項１】
マルチネットワークジョイント伝送を行うシステムであって、コアネットワーク及びアクセスネットワークを含み、
前記アクセスネットワークは、第三世代パートナーシッププロジェクト（３ＧＰＰ）アクセスネットワークのネットエレメント及び無線ローカルエリアネットワーク（ＷＬＡＮ）アクセスネットワークのネットエレメントを含み、前記コアネットワークは３ＧＰＰコアネットワークのネットエレメントを含み、前記３ＧＰＰアクセスネットワークのネットエレメントはネットワークインターフェースを介して前記コアネットワークのネットエレメントに接続され、トラフィック分配インターフェースを介して前記ＷＬＡＮアクセスネットワークのネットエレメントに接続され、前記３ＧＰＰアクセスネットワークのネットエレメントは、３ＧＰＰ無線インターフェースを介してユーザ装置に接続され、受信した上りユーザデータを結合し、及び下りユーザデータをトラフィック分配し、一部の下りユーザデータを前記ＷＬＡＮアクセスネットワークのネットエレメントにトラフィック分配するように設置され、
前記ＷＬＡＮアクセスネットワークのネットエレメントは、ＷＬＡＮ無線インターフェースを介して前記ユーザ装置に接続され、前記３ＧＰＰアクセスネットワークのネットエレメントと前記ユーザ装置との間に上りユーザデータ及び下りユーザデータを伝送するように設置されるマルチネットワークジョイント伝送を行うシステム。
【請求項２】
前記３ＧＰＰアクセスネットワークのネットエレメントは、
前記コアネットワークから送信してきた下りユーザデータをトラフィック分配した後、少なくとも一部の下りユーザデータを、前記トラフィック分配インターフェースを介して前記ＷＬＡＮアクセスネットワークのネットエレメントに送信するという方式で、下りユーザデータをトラフィック分配し、一部の下りユーザデータを前記ＷＬＡＮアクセスネットワークのネットエレメントにトラフィック分配するように設置され、
前記ＷＬＡＮアクセスネットワークのネットエレメントは、
前記トラフィック分配インターフェースから受信した前記下りユーザデータを前記ユーザ装置に送信するという方式で、前記３ＧＰＰアクセスネットワークのネットエレメントと前記ユーザ装置との間に下りユーザデータを伝送するように設置される請求項１に記載のシステム。
【請求項３】
前記３ＧＰＰアクセスネットワークのネットエレメントは、さらに前記トラフィック分配インターフェースを介さずに前記ＷＬＡＮアクセスネットワークのネットエレメントに送信する一部の下りユーザデータを、前記ユーザ装置との間のインターフェースを介して前記ユーザ装置に送信するように設置される請求項２に記載のシステム。
【請求項４】
前記３ＧＰＰアクセスネットワークのネットエレメントは、
少なくとも一部の下りユーザデータを、イーサネット伝送プロトコル又は無線接続に基づく伝送プロトコルの形式にパッケージし、前記トラフィック分配インターフェースを介して前記ＷＬＡＮアクセスネットワークのネットエレメントに送信するという方式で、少なくとも一部の下りユーザデータを、前記トラフィック分配インターフェースを介して前記ＷＬＡＮアクセスネットワークのネットエレメントに送信するように設置される請求項２に記載のシステム。
【請求項５】
前記３ＧＰＰアクセスネットワークのネットエレメントは、
ＩＰ層、又はデータパケットコンバージェンスプロトコル層、又は無線リンク制御層又はメディアアクセス制御（ＭＡＣ）層において、前記下りユーザデータをトラフィック分配するという方式で、下りユーザデータをトラフィック分配するように設置される請求項１に記載のシステム。
【請求項６】
前記３ＧＰＰアクセスネットワークのネットエレメントは、
前記３ＧＰＰアクセスネットワークのネットエレメントのロード、前記ＷＬＡＮアクセスネットワークのネットエレメントのロード、前記ユーザ装置が所在する無線環境品質又はその他のプリセットされたアルゴリズムのうちのいずれか一つ又はいずれかの組合せに基づいて、前記下りユーザデータをトラフィック分配するという方式で、下りユーザデータをトラフィック分配するように設置される請求項１〜５のいずれか一つに記載のシステム。
【請求項７】
前記ＷＬＡＮアクセスネットワークのネットエレメントは、
受信した前記ユーザ装置から送信してきた前記上りユーザデータを前記３ＧＰＰアクセスネットワークのネットエレメントに送信するという方式で、前記３ＧＰＰアクセスネットワークのネットエレメントと前記ユーザ装置との間に上りユーザデータを伝送するように設置され、
前記３ＧＰＰアクセスネットワークのネットエレメントは、
同一データソースに属する前記ユーザ装置から送信してきた上りユーザデータ及び前記ＷＬＡＮアクセスネットワークのネットエレメントから送信してきた上りユーザデータを結合するという方式で、受信した上りユーザデータを結合するように設置される請求項１に記載のシステム。
【請求項８】
前記３ＧＰＰアクセスネットワークのネットエレメントは、さらに直接的に前記コアネットワークのネットエレメントと前記ユーザ装置との間に制御プレーン信号を伝送するように設置される請求項１に記載のシステム。
【請求項９】
ロングタームエボリューション（ＬＴＥ）ネットワークにおいて、前記３ＧＰＰアクセスネットワークのネットエレメントはＳ１インターフェースを介して前記コアネットワークのネットエレメントに接続され、汎用モバイル通信システム（ＵＭＴＳ）ネットワークにおいて、前記３ＧＰＰアクセスネットワークのネットエレメントはＩｕインターフェースを介して前記コアネットワークのネットエレメントに接続される請求項１に記載のシステム。
【請求項１０】
ユーザ装置であって、無線ローカルエリアネットワーク（ＷＬＡＮ）アクセス機能及び少なくとも１種の第三世代パートナーシッププロジェクト（３ＧＰＰ）無線アクセス機能を有し、受信モジュール、送信モジュール、トラフィック分配モジュール及び結合モジュールを含み、
前記受信モジュールは、３ＧＰＰ無線インターフェースを介して３ＧＰＰアクセスネットワークのネットエレメントから送信してきた下りユーザデータを受信し、及びＷＬＡＮ無線インターフェースを介してＷＬＡＮアクセスネットワークのネットエレメントから送信してきた下りユーザデータを受信するように設置され、
前記結合モジュールは、前記受信モジュールが受信した前記３ＧＰＰアクセスネットワークのネットエレメント及び前記ＷＬＡＮアクセスネットワークのネットエレメントから送信してきた下りユーザデータを結合するように設置され、
前記トラフィック分配モジュールは、送信待ちの上りユーザデータをトラフィック分配するように設置され、
前記送信モジュールは、前記トラフィック分配モジュールがトラフィック分配した一部の上りユーザデータを前記３ＧＰＰアクセスネットワークのネットエレメントに送信し、他方の一部の上りユーザデータを前記ＷＬＡＮアクセスネットワークのネットエレメントに送信するように設置されるユーザ装置。
【請求項１１】
前記トラフィック分配モジュールは、
ＩＰ層、又はデータパケットコンバージェンスプロトコル層、又は無線リンク制御層又はメディアアクセス制御（ＭＡＣ）層において、前記上りユーザデータをトラフィック分配するという方式で、送信待ちの上りユーザデータをトラフィック分配するように設置される請求項１０に記載のユーザ装置。
【請求項１２】
前記トラフィック分配モジュールは、
ローカルでプリセットされたトラフィック分配ポリシー又は前記３ＧＰＰアクセスネットワークのネットエレメントが本装置に設定したトラフィック分配ポリシーに基づいて、送信待ちの上りユーザデータをトラフィック分配するという方式で、送信待ちの上りユーザデータをトラフィック分配するように設置される請求項１０又は１１に記載のユーザ装置。
【請求項１３】
前記受信モジュールは、さらに直接的に前記３ＧＰＰアクセスネットワークのネットエレメントから送信してきた制御プレーン信号を受信するように設置される請求項１０に記載のシステム。
【請求項１４】
コアネットワーク及びアクセスネットワーク側に応用されるマルチネットワークジョイント伝送を行う方法であって、
前記アクセスネットワークは、第三世代パートナーシッププロジェクト（３ＧＰＰ）アクセスネットワークのネットエレメント及び無線ローカルエリアネットワーク（ＷＬＡＮ）アクセスネットワークのネットエレメントを含み、前記コアネットワークは３ＧＰＰコアネットワークのネットエレメントを含み、
前記方法は、
前記３ＧＰＰアクセスネットワークのネットエレメントはネットワークインターフェースを介して前記コアネットワークのネットエレメントに接続され、トラフィック分配インターフェースを介して前記ＷＬＡＮアクセスネットワークのネットエレメントに接続され、３ＧＰＰ無線インターフェースを介してユーザ装置に接続され、受信した上りユーザデータを結合し、下りユーザデータをトラフィック分配し、一部の下りユーザデータを前記ＷＬＡＮアクセスネットワークのネットエレメントにトラフィック分配すること、
前記ＷＬＡＮアクセスネットワークのネットエレメントはＷＬＡＮ無線インターフェースを介して前記ユーザ装置に接続され；前記３ＧＰＰアクセスネットワークのネットエレメントと前記ユーザ装置との間で、上りユーザデータ及び下りユーザデータを伝送することを含むマルチネットワークジョイント伝送を行う方法。
【請求項１５】
前記３ＧＰＰアクセスネットワークのネットエレメントは下りユーザデータをトラフィック分配し、一部の下りユーザデータを前記ＷＬＡＮアクセスネットワークのネットエレメントにトラフィック分配することは、
前記３ＧＰＰアクセスネットワークのネットエレメントは前記コアネットワークから送信してきた下りユーザデータをトラフィック分配した後、少なくとも一部の下りユーザデータを、前記トラフィック分配インターフェースを介して前記ＷＬＡＮアクセスネットワークのネットエレメントに送信することを含み、
前記ＷＬＡＮアクセスネットワークのネットエレメントは前記３ＧＰＰアクセスネットワークのネットエレメントと前記ユーザ装置との間に下りユーザデータを伝送することは、
前記ＷＬＡＮアクセスネットワークのネットエレメントは前記トラフィック分配インターフェースから受信した前記下りユーザデータを前記ユーザ装置に送信することを含む請求項１４に記載の方法。
【請求項１６】
前記３ＧＰＰアクセスネットワークのネットエレメントは前記トラフィック分配インターフェースを介さずに前記ＷＬＡＮアクセスネットワークのネットエレメントに送信する一部の下りユーザデータを、前記ユーザ装置との間のインターフェースを介して前記ユーザ装置に送信することをさらに含む請求項１５に記載の方法。
【請求項１７】
前記３ＧＰＰアクセスネットワークのネットエレメントは少なくとも一部の下りユーザデータを、前記トラフィック分配インターフェースを介して前記ＷＬＡＮアクセスネットワークのネットエレメントに送信することは、
前記３ＧＰＰアクセスネットワークのネットエレメントは少なくとも一部の下りユーザデータを、イーサネット伝送プロトコル又は無線接続に基づく伝送プロトコルの形式にパッケージし、前記トラフィック分配インターフェースを介して前記ＷＬＡＮアクセスネットワークのネットエレメントに送信することを含む請求項１５に記載の方法。
【請求項１８】
前記３ＧＰＰアクセスネットワークのネットエレメントは下りユーザデータをトラフィック分配することは、
前記３ＧＰＰアクセスネットワークのネットエレメントがＩＰ層、又はデータパケットコンバージェンスプロトコル層、又は無線リンク制御層又はメディアアクセス制御（ＭＡＣ）層において、前記下りユーザデータをトラフィック分配することを含む請求項１４に記載の方法。
【請求項１９】
前記３ＧＰＰアクセスネットワークのネットエレメントは下りユーザデータをトラフィック分配することは、
前記３ＧＰＰアクセスネットワークのネットエレメントは本装置のロード、前記ＷＬＡＮアクセスネットワークのネットエレメントのロード、前記ユーザ装置が所在する無線環境品質又はその他のプリセットされたアルゴリズムのうちのいずれか一つ又はいずれかの組合せに基づいて、前記下りユーザデータをトラフィック分配することを含む請求項１４〜１８のうちのいずれか１項に記載の方法。
【請求項２０】
前記ＷＬＡＮアクセスネットエレメントは前記３ＧＰＰアクセスネットワークのネットエレメントと前記ユーザ装置との間に上りユーザデータを伝送することは、
前記ＷＬＡＮアクセスネットワークのネットエレメントは受信した前記ユーザ装置から送信してきた前記上りユーザデータを前記３ＧＰＰアクセスネットワークのネットエレメントに送信することを含み、
前記３ＧＰＰアクセスネットワークのネットエレメントは受信した上りユーザデータを結合することは、
前記３ＧＰＰアクセスネットワークのネットエレメントは同一データソースに属する前記ユーザ装置から送信してきた上りユーザデータ及び前記ＷＬＡＮアクセスネットワークのネットエレメントから送信してきた上りユーザデータを結合することを含む請求項１４に記載の方法。
【請求項２１】
前記３ＧＰＰアクセスネットワークのネットエレメントは直接的に前記コアネットワークのネットエレメントと前記ユーザ装置との間に制御プレーン信号を伝送することをさらに含む請求項１４に記載の方法。
【請求項２２】
ユーザ装置側に応用されるマルチネットワークジョイント伝送を行う方法であって、前記ユーザ装置は無線ローカルエリアネットワーク（ＷＬＡＮ）アクセス機能及び少なくとも１種の第三世代パートナーシッププロジェクト（３ＧＰＰ）無線アクセス機能を有し、前記方法は、
３ＧＰＰ無線インターフェースを介して３ＧＰＰアクセスネットワークのネットエレメントから送信してきた下りユーザデータを受信し、ＷＬＡＮ無線インターフェースを介してＷＬＡＮアクセスネットワークのネットエレメントから送信してきた下りユーザデータを受信すること、
受信した前記３ＧＰＰアクセスネットワークのネットエレメントと前記ＷＬＡＮアクセスネットワークのネットエレメントから送信してきた下りユーザデータを結合すること、
送信待ちの上りユーザデータをトラフィック分配すること、
前記トラフィック分配モジュールがトラフィック分配した一部の上りユーザデータを前記３ＧＰＰアクセスネットワークのネットエレメントに送信し、他方の一部上りユーザデータを前記ＷＬＡＮアクセスネットワークのネットエレメントに送信することを含むユーザ装置側に応用されるマルチネットワークジョイント伝送を行う方法。
【請求項２３】
前記送信待ちの上りユーザデータをトラフィック分配することは、
ＩＰ層、又はデータパケットコンバージェンスプロトコル層、又は無線リンク制御層又はメディアアクセス制御（ＭＡＣ）層において、前記上りユーザデータをトラフィック分配することを含む請求項２２に記載の方法。
【請求項２４】
前記送信待ちの上りユーザデータをトラフィック分配することは、
ローカルでプリセットされたトラフィック分配ポリシー又は前記３ＧＰＰアクセスネットワークのネットエレメントが本装置に設定したトラフィック分配ポリシーに基づいて、送信待ちの上りユーザデータをトラフィック分配することを含む請求項２２又は２３に記載の方法。
【請求項２５】
直接的に前記３ＧＰＰアクセスネットワークのネットエレメントから送信してきた制御プレーン信号を受信することをさらに含む請求項２２に記載の方法。
【発明の詳細な説明】
【技術分野】
【０００１】
本発明はモバイル通信システムに関し、特にマルチネットワークジョイント伝送を行うシステム、ユーザ装置及び方法に関する。
【背景技術】
【０００２】
無線通信技術及びプロトコル標準の絶え間ない進化に伴い、移動パケットサービスは驚異的な成長を遂げ、個々の端末のデータスループットは向上している。例えば、ロングタームエボリューション（Ｌｏｎｇ  Ｔｅｒｍ  Ｅｖｏｌｕｔｉｏｎ、ＬＴＥと略称する）システムでは、２０ＭＨｚ帯域幅において、下りの最大レートが１００Ｍｂｐｓのデータ伝送をサポートする。後続のＬＴＥアドバンスド（ＬＴＥ  Ａｄｖａｎｃｅｄ、ＬＴＥ−Ａと略称する）システムでは、データ伝送レートは更に向上し、ひいては１Ｇｂｐｓに達することができる。
【０００３】
端末のデータ通信量の膨張的な成長により、既存のネットワークリソースが次第に不足するようになり、特に新世代通信技術（例えば、３Ｇ（３ｒｄ−ｇｅｎｅｒａｔｉｏｎ、第３世代移動通信技術）、ＬＴＥ）では、広範囲にわたる分散型ネットワークがなければ、もたらす結果は通信速度および通信量に対するユーザのニーズをいずれも満たすことができず、ユーザ体験も悪い。どのようにこの状況を予防、変更するかはオペレータが配慮しなければならない問題であり、一方では、新技術の普及および発展を加速させる必要があり、他方では、既存のネットワークおよび技術を強化することにより、迅速にネットワークパフォーマンスを向上させるという目的を達成する。
【０００４】
周知の通り、第三世代パートナーシッププロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、３ＧＰＰと略称する）により提供された無線ネットワーク技術のほかに、現在広く使用されている無線ＬＡＮ、特にＩＥＥＥ  ８０２．１１標準に基づく無線ＬＡＮは、すでに家庭、企業、又はホットスポットのカバレッジエリアでも幅広く使用されている。そのうち、Ｗｉ−Ｆｉ（Ｗｉｒｅｌｅｓｓ  Ｆｉｄｅｌｉｔｙ）アライアンス（Ｗｉ−Ｆｉ  Ａｌｌｉａｎｃｅ）が提出した技術仕様書の適用範囲は最も広く、実用の際に、しばしばＷｉ−Ｆｉネットワークは、ＩＥＥＥ  ８０２．１１標準に基づくＷＬＡＮ（Ｗｉｒｅｌｅｓｓ  ＬＡＮ、無線ローカルエリアネットワーク）ネットワークと等しく見なされる。
【０００５】
上記前提の下、いくつかのオペレータ及び会社は、ＷＬＡＮと既存の３ＧＰＰネットワークのジョイント伝送を提案し、即ちＷＬＡＮを使用して、既存のＬＴＥネットワークのオフロード（Ｏｆｆｌｏａｄ）及びネットワークパフォーマンスを向上させる目的を達成する。現在、図１に示すように、３ＧＰＰネットワークとＷＬＡＮインタワーキング（Ｉｎｔｅｒｗｏｒｋｉｎｇ）の関連プロトコルを構築し、現在のインタワーキングアーキテクチャは、ＷＬＡＮがＬＴＥネットワーク内の認証許可アカウンティングサーバ（Ａｕｔｈｅｎｔｉｃａｔｉｏｎ  Ａｕｔｈｏｒｉｚａｔｉｏｎ  Ａｃｃｏｕｎｔｉｎｇ、ＡＡＡ）で統一された認証許可を行うことを許可し、同時に既存のＬＴＥネットワークにおけるパケットデータネットワークゲートウェイをＷＬＡＮのパケットデータゲートウェイとして多重化することができる。さらに、２つのネットワークで統一されたアカウンティング課金等を実現することができ、２つのネットワークの疎結合を達成する。
【０００６】
しかしながら、現在のインタワーキングアーキテクチャにはいくつかの不足が存在する。例えば、以下のような不足が存在する。
【０００７】
１）現在のＩｎｔｅｒｗｏｒｋｉｎｇは、ユーザ装置（Ｕｓｅｒ  Ｅｑｕｉｐｍｅｎｔ、ＵＥと略称する）によりトリガーされる。ターゲットネットワークのネットワーク側は、当該ネットワークに対してコントロール権を失ったＵＥに対してアクティブな選択権を持たない。そのため、オペレータがユーザをガイドして、所望する又は好ましいターゲットネットワークにアクセスさせることができなくなる。
【０００８】
２）ＵＥは、ネットワーク側（例えばＬＴＥネットワーク及びＷＬＡＮ）がインタワーキングをサポートしているかを知らず、現在通信中のネットワークとインタワーキングできない1つのターゲットネットワークを選択して接続してしまう虞がある。
【０００９】
３）３ＧＰＰとＷＬＡＮのジョイント伝送を実現するためには、ＵＥが同時に２セットの送受信機を起動する必要があり、ＵＥの電力消費に大きな影響を与える。
【００１０】
４）２つのネットワークのデータトラフィックは、いずれも３ＧＰＰコアネットワークのネットエレメントを通過する必要がある。そのため、負荷が比較的大きくなると、ＵＥが３ＧＰＰネットワークとＷＬＡＮとの間を移動する時、データトラフィックの切り替えが遅くなる。さらに、重要な一点は、現在では、このアーキテクチャが、独立した３ＧＰＰネットワーク及び独立かつ完全なＷＬＡＮを持つことができるオペレータに依存させている。つまり、オペレータは、同時に複数のネットワークを運営、メンテナンスするように要求され、比較的大きい運営費（Ｃａｐｉｔａｌ  Ｅｘｐｅｎｄｉｔｕｒｅ、ＣＡＰＥＸと略称する）を支払う必要がある。
【発明の概要】
【発明が解決しようとする課題】
【００１１】
本発明の実施例はマルチネットワークジョイント伝送を行うシステム、ユーザ装置及び方法を提供し、運営費が比較的大きいという欠陥を克服する。
【課題を解決するための手段】
【００１２】
マルチネットワークジョイント伝送を行うシステムは、コアネットワーク及びアクセスネットワークを含み、
前記アクセスネットワークは、第三世代パートナーシッププロジェクト（３ＧＰＰ）アクセスネットワークのネットエレメント及び無線ローカルエリアネットワーク（ＷＬＡＮ）アクセスネットワークのネットエレメントを含み、
前記コアネットワークは、３ＧＰＰコアネットワークのネットエレメントを含み、
前記３ＧＰＰアクセスネットワークのネットエレメントは、ネットワークインターフェースを介して前記コアネットワークのネットエレメントに接続され、トラフィック分配インターフェースを介して前記ＷＬＡＮアクセスネットワークのネットエレメントに接続され、３ＧＰＰ無線インターフェースを介してユーザ装置に接続され、受信した上りユーザデータを結合し、及び下りユーザデータをトラフィック分配し、一部の下りユーザデータを前記ＷＬＡＮアクセスネットワークのネットエレメントにトラフィック分配するように設置され、
前記ＷＬＡＮアクセスネットワークのネットエレメントは、ＷＬＡＮ無線インターフェースを介して前記ユーザ装置に接続され、前記３ＧＰＰアクセスネットワークのネットエレメントと前記ユーザ装置との間に上りユーザデータ及び下りユーザデータを伝送するように設置される。
【００１３】
好ましくは、
前記３ＧＰＰアクセスネットワークのネットエレメントは、前記コアネットワークから送信してきた下りユーザデータをトラフィック分配した後、少なくとも一部の下りユーザデータを、前記トラフィック分配インターフェースを介して前記ＷＬＡＮアクセスネットワークのネットエレメントに送信するように設置され、
前記ＷＬＡＮアクセスネットワークのネットエレメントは前記トラフィック分配インターフェースから受信した前記下りユーザデータを前記ユーザ装置に送信するように設置される。
【００１４】
好ましくは、
前記３ＧＰＰアクセスネットワークのネットエレメントは、さらに前記トラフィック分配インターフェースを介さずに、前記ＷＬＡＮアクセスネットワークのネットエレメントに送信する一部の下りユーザデータを、前記ユーザ装置との間のインターフェースを介して前記ユーザ装置に送信するように設置される。
【００１５】
好ましくは、
前記３ＧＰＰアクセスネットワークのネットエレメントは、少なくとも一部の下りユーザデータを、イーサネット伝送プロトコル又は無線接続に基づく伝送プロトコルの形式にパッケージし、前記トラフィック分配インターフェースを介して前記ＷＬＡＮアクセスネットワークのネットエレメントに送信するように設置される。
【００１６】
好ましくは、
前記３ＧＰＰアクセスネットワークのネットエレメントは、ＩＰ層、データパケットコンバージェンスプロトコル層、無線リンク制御層、又はメディアアクセス制御（ＭＡＣ）層において、前記下りユーザデータをトラフィック分配するように設置される。
【００１７】
好ましくは、
前記３ＧＰＰアクセスネットワークのネットエレメントは、自装置の負荷、前記ＷＬＡＮアクセスネットワークのネットエレメントの負荷、前記ユーザ装置が所在する無線環境の品質、又はその他のプリセットされたアルゴリズムのうちのいずれか一つ又はいずれかの組合せに基づいて、前記下りユーザデータをトラフィック分配する。
【００１８】
好ましくは、
前記ＷＬＡＮアクセスネットワークのネットエレメントは、受信した前記ユーザ装置から送信してきた前記上りユーザデータを前記３ＧＰＰアクセスネットワークのネットエレメントに送信するように設置され、
前記３ＧＰＰアクセスネットワークのネットエレメントは、共通データソースに属する前記ユーザ装置から送信してきた上りユーザデータ及び前記ＷＬＡＮアクセスネットワークのネットエレメントから送信してきた上りユーザデータを結合するように設置される。
【００１９】
好ましくは、
前記３ＧＰＰアクセスネットワークのネットエレメントは、前記コアネットワークのネットエレメントと前記ユーザ装置との間において、直接的に制御プレーン信号を伝送するように設置される。
【００２０】
好ましくは、
ロングタームエボリューション（ＬＴＥ）ネットワークにおいて、前記３ＧＰＰアクセスネットワークのネットエレメントは、Ｓ１インターフェースを介して前記コアネットワークのネットエレメントに接続され、汎用モバイル通信システム（ＵＭＴＳ）ネットワークにおいて、前記３ＧＰＰアクセスネットワークのネットエレメントは、Ｉｕインターフェースを介して前記コアネットワークのネットエレメントに接続される。
【００２１】
それに対応して、本発明の実施例は、ユーザ装置をさらに提供しており、無線ローカルエリアネットワーク（ＷＬＡＮ）アクセス機能及び少なくとも１種の第三世代パートナーシッププロジェクト（３ＧＰＰ）無線アクセス機能を有し、受信モジュール、送信モジュール、トラフィック分配モジュール及び結合モジュールを含み、
前記受信モジュールは、３ＧＰＰ無線インターフェースを介して３ＧＰＰアクセスネットワークのネットエレメントから送信してきた下りユーザデータを受信し、ＷＬＡＮ無線インターフェースを介してＷＬＡＮアクセスネットワークのネットエレメントから送信してきた下りユーザデータを受信するように設置され、
前記結合モジュールは、前記受信モジュールが受信した、前記３ＧＰＰアクセスネットワークのネットエレメント及び前記ＷＬＡＮアクセスネットワークのネットエレメントから送信してきた下りユーザデータを結合するように設置され、
前記トラフィック分配モジュールは、送信待ちの上りユーザデータをトラフィック分配するように設置され、
前記送信モジュールは、前記トラフィック分配モジュールがトラフィック分配した一部の上りユーザデータを前記３ＧＰＰアクセスネットワークのネットエレメントに送信し、他方の一部上りユーザデータを前記ＷＬＡＮアクセスネットワークのネットエレメントに送信するように設置される。
【００２２】
好ましくは、
前記トラフィック分配モジュールは、ＩＰ層、データパケットコンバージェンスプロトコル層、無線リンク制御層、又はメディアアクセス制御（ＭＡＣ）層において、前記上りユーザデータをトラフィック分配することに用いられる。
【００２３】
好ましくは、
前記トラフィック分配モジュールは、ローカルでプリセットされたトラフィック分配ポリシー又は前記３ＧＰＰアクセスネットワークのネットエレメントが自装置に設定したトラフィック分配ポリシーに基づいて、送信待ちの上りユーザデータをトラフィック分配するように設置される。
【００２４】
好ましくは、
前記受信モジュールは、さらに、前記３ＧＰＰアクセスネットワークのネットエレメントから直接送信してきた制御プレーン信号を受信するように設置される。
【００２５】
それに対応して、本発明の実施例は、コアネットワーク及びアクセスネットワーク側に応用されるマルチネットワークジョイント伝送を行う方法を提供しており、
前記アクセスネットワークは、第三世代パートナーシッププロジェクト（３ＧＰＰ）アクセスネットワークのネットエレメント及び無線ローカルエリアネットワーク（ＷＬＡＮ）アクセスネットワークのネットエレメントを含み、前記コアネットワークは３ＧＰＰコアネットワークのネットエレメントを含み、
前記方法は、
前記３ＧＰＰアクセスネットワークのネットエレメントは、ネットワークインターフェースを介して前記コアネットワークのネットエレメントに接続され、トラフィック分配インターフェースを介して前記ＷＬＡＮアクセスネットワークのネットエレメントに接続され、３ＧＰＰ無線インターフェースを介してユーザ装置に接続され、受信した上りユーザデータを結合し、下りユーザデータをトラフィック分配し、一部の下りユーザデータを前記ＷＬＡＮアクセスネットワークのネットエレメントにトラフィック分配すること、
前記ＷＬＡＮアクセスネットワークのネットエレメントは、ＷＬＡＮ無線インターフェースを介して前記ユーザ装置に接続され、前記３ＧＰＰアクセスネットワークのネットエレメントと前記ユーザ装置との間において、上りユーザデータ及び下りユーザデータを伝送することを含む。
【００２６】
好ましくは、
前記３ＧＰＰアクセスネットワークのネットエレメントは、前記コアネットワークから送信してきた下りユーザデータをトラフィック分配した後、少なくとも一部の下りユーザデータを、前記トラフィック分配インターフェースを介して前記ＷＬＡＮアクセスネットワークのネットエレメントに送信し、
前記ＷＬＡＮアクセスネットワークのネットエレメントは、前記トラフィック分配インターフェースから受信した前記下りユーザデータを前記ユーザ装置に送信する。
【００２７】
好ましくは、前記方法は、
前記３ＧＰＰアクセスネットワークのネットエレメントは、前記トラフィック分配インターフェースを介さずに、前記ＷＬＡＮアクセスネットワークのネットエレメントに送信する一部の下りユーザデータを、前記ユーザ装置との間のインターフェースを介して前記ユーザ装置に送信することをさらに含む。
【００２８】
好ましくは、
前記３ＧＰＰアクセスネットワークのネットエレメントは、少なくとも一部の下りユーザデータを、イーサネット伝送プロトコル又は無線接続に基づく伝送プロトコルの形式にパッケージし、前記トラフィック分配インターフェースを介して前記ＷＬＡＮアクセスネットワークのネットエレメントに送信する。
【００２９】
好ましくは、
前記３ＧＰＰアクセスネットワークのネットエレメントは、ＩＰ層、データパケットコンバージェンスプロトコル層、無線リンク制御層、又はメディアアクセス制御（ＭＡＣ）層において、前記下りユーザデータをトラフィック分配する。
【００３０】
好ましくは、
前記３ＧＰＰアクセスネットワークのネットエレメントは、自装置の負荷、前記ＷＬＡＮアクセスネットワークのネットエレメントの負荷、前記ユーザ装置が所在する無線環境の品質、又はその他のプリセットされたアルゴリズムのうちのいずれか一つ又はいずれかの組合せに基づいて、前記下りユーザデータをトラフィック分配する。
【００３１】
好ましくは、
前記ＷＬＡＮアクセスネットワークのネットエレメントは、受信した前記ユーザ装置から送信してきた前記上りユーザデータを前記３ＧＰＰアクセスネットワークのネットエレメントに送信し、
前記３ＧＰＰアクセスネットワークのネットエレメントは、共通データソースに属する前記ユーザ装置から送信してきた上りユーザデータ及び前記ＷＬＡＮアクセスネットワークのネットエレメントから送信してきた上りユーザデータを結合する。
【００３２】
好ましくは、前記方法は、
前記３ＧＰＰアクセスネットワークのネットエレメントは、前記コアネットワークのネットエレメントと前記ユーザ装置との間において、直接的に制御プレーン信号を伝送することをさらに含む。
【００３３】
それに対応して、本発明の実施例は、ユーザ装置側に応用されるマルチネットワークジョイント伝送を行う方法を提供しており、前記ユーザ装置は無線ローカルエリアネットワーク（ＷＬＡＮ）アクセス機能及び少なくとも１種の第三世代パートナーシッププロジェクト（３ＧＰＰ）無線アクセス機能を有し、前記方法は、
３ＧＰＰ無線インターフェースを介して３ＧＰＰアクセスネットワークのネットエレメントから送信してきた下りユーザデータを受信し、ＷＬＡＮ無線インターフェースを介してＷＬＡＮアクセスネットワークのネットエレメントから送信してきた下りユーザデータを受信すること、
受信した、前記３ＧＰＰアクセスネットワークのネットエレメントと前記ＷＬＡＮアクセスネットワークのネットエレメントから送信してきた下りユーザデータを、結合すること、
送信待ちの上りユーザデータをトラフィック分配すること、
前記トラフィック分配モジュールがトラフィック分配した一部の上りユーザデータを前記３ＧＰＰアクセスネットワークのネットエレメントに送信し、他方の一部上りユーザデータを前記ＷＬＡＮアクセスネットワークのネットエレメントに送信することを含む。
【００３４】
好ましくは、
ＩＰ層、データパケットコンバージェンスプロトコル層、無線リンク制御層、又はメディアアクセス制御（ＭＡＣ）層において、上りユーザデータをトラフィック分配する。
【００３５】
好ましくは、
ローカルでプリセットされたトラフィック分配ポリシー又は前記３ＧＰＰアクセスネットワークのネットエレメントが自装置に設定したトラフィック分配ポリシーに基づいて、送信待ちの上りユーザデータをトラフィック分配する。
【００３６】
好ましくは、前記方法は、
前記３ＧＰＰアクセスネットワークのネットエレメントから直接送信してきた制御プレーン信号を受信することをさらに含む。
【発明の効果】
【００３７】
本発明の実施例の手段を採用した後、オペレータは、ライセンスが不要なＷＬＡＮの有料周波数帯域のデータ伝送をトラフィック分配し、３ＧＰＰアクセスネットワークのデータトラヒックをトラフィック分配し、ネットワーク負荷を軽減させ、周波数帯域及びコストを節約する。オペレータは、既存のＷＬＡＮアクセスポイントのネットエレメントを多重化し、ネットワーク側の運営費を節約するとともに、ＵＥのデータスループットを増加させ、ユーザの近年のマルチメディアサービスに対するニーズを満たす。さらに、本アーキテクチャにより、プロトコル及び端末装置への互換性を最大限保証し、システムをより合理的かつ効率的にする。
【図面の簡単な説明】
【００３８】
【図１】インタワーキングに関連する技術のプロトコルアーキテクチャを示す模式図である。
【図２】本発明の実施例における３ＧＰＰとＷＬＡＮジョイント伝送アーキテクチャを示す模式図である。
【図３】（ａ）〜（ｃ）はそれぞれ本発明の実施例における３ＧＰＰアクセスネットワークとＷＬＡＮアクセスネットワークの間のトラフィック分配インターフェースの３種のプロトコルスタックを示す模式図である。
【図４】（ａ）及び（ｂ）は本発明の実施例における３ＧＰＰアクセスネットワークによるデータのトラフィック分配の模式図である。
【図５】本発明の実施例のユーザ装置の構造を示す模式図である。
【図６】本発明の応用例１におけるＬＴＥとＷＬＡＮのジョイント伝送ネットワークを示す模式図である。
【図７】（ａ）〜（ｃ）は本発明の応用例におけるトラフィック分配インターフェースのプロトコルスタックを示す模式図である。
【図８】（ａ）及び（ｂ）は本発明の応用例１におけるＷＬＡＮ無線インターフェースのデータ伝送のプロトコルスタックを示す模式図である。
【図９】本発明の応用例１におけるユーザ装置とアクセスネットワークのトンネル伝送手段を示す模式図である。
【図１０】（ａ）及び（ｂ）は本発明の応用例２におけるＵＭＴＳとＷＬＡＮのジョイント伝送ネットワークを示す模式図である。
【図１１】（ａ）及び（ｂ）は本発明の応用例２中おけるＷＬＡＮ無線インターフェースのデータ伝送のプロトコルスタックを示す模式図である。
【図１２】本発明の応用例２におけるユーザ装置とアクセスネットワークのトンネル伝送手段を示す模式図である。
【発明を実施するための形態】
【００３９】
本発明の目的、技術的解決手段及び利点をより明らかにするために、以下、図面を参照しながら本発明の実施例を詳細に説明する。ただし、特段の技術的制約がない限り、本出願における実施例及び実施例における特徴は互いに任意に組み合せることができる。
【００４０】
図２に示すように、本実施例において、３ＧＰＰ及びＷＬＡＮのジョイント伝送のシステムにおいて、コアネットワーク及びアクセスネットワークを含み、アクセスネットワークは、３ＧＰＰアクセスネットワークのネットエレメント及びＷＬＡＮアクセスネットワークのネットエレメントを含み、コアネットワークは３ＧＰＰシステムにおけるコアネットワークのネットエレメントを含む。そのうち、コアネットワークのネットエレメントと３ＧＰＰアクセスネットワークのネットエレメントの間は、ネットワークインターフェースを介して接続されることができ、例えばＬＴＥネットワーク中においてＳ１インターフェースを介して接続され、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、汎用モバイル通信システム）ネットワーク中においてＩｕインターフェースを介して接続されてもよく、有線インターフェース（例えば光ファイバ）又は無線インターフェース（例えばマイクロ波又は３ＧＰＰ無線インターフェースプロトコルに基づく無線接続）により接続されてもよい。
【００４１】
そのうち、コアネットワークにおけるコアネットワークのネットエレメント間のインターフェース及び機能は、既存の３ＧＰＰネットワークと一致している。たとえば、ＥＰＳ（Ｅｖｏｌｖｅｄ  Ｐａｃｋｅｔ  Ｓｙｓｔｅｍ、発展型パケットシステム）において、コアネットワークのネットエレメントは、ＭＭＥ（Ｍｏｂｉｌｉｔｙ  Ｍａｎａｇｅｍｅｎｔ  Ｅｎｔｉｔｙ、移動管理エンティティ）、ＳＧＷ（Ｓｅｒｖｉｎｇ  Ｇａｔｅｗａｙ、サービスゲートウェイ）及びＰＧＷ（Ｐａｃｋｅｔ  Ｄａｔａ  Ｎｅｔｗｏｒｋ  Ｇａｔｅｗａｙ、パケットデータネットワークゲートウェイ）等を含み、ＵＭＴＳにおいて、コアネットワークのネットエレメントは、ＳＧＳＮ（Ｓｅｒｖｉｎｇ  ＧＰＲＳ  Ｓｕｐｐｏｒｔ  Ｎｏｄｅ、ＧＰＲＳ（Ｇｅｎｅｒａｌ  Ｐａｃｋｅｔ  Ｒａｄｉｏ  Ｓｅｒｖｉｃｅ、汎用パケット無線サービス技術サービス）サポートノード）及びＧＧＳＮ（Ｇａｔｅｗａｙ  ＧＰＲＳ  Ｓｕｐｐｏｒｔ  Ｎｏｄｅ、ゲートウェイＧＰＲＳサポートノード）等を含む。
【００４２】
上記３ＧＰＰアクセスネットワークのネットエレメントは、ＬＴＥネットワーク中において、発展型基地局（Ｅｖｏｌｖｅｄ  Ｎｏｄｅ  Ｂ、ｅＮＢと略称する）、中継ノード（Ｒｅｌａｙ  ｎｏｄｅ、ＲＮと略称する）又はホーム発展型基地局（Ｈｏｍｅ  ｅＮＢ、ＨｅＮＢと略称する）等を含んでもよく、ＵＭＴＳネットワーク中において、無線ネットワーク制御器（Ｒａｄｉｏ  Ｎｅｔｗｏｒｋ  Ｃｏｎｔｒｏｌｌｅｒ、ＲＮＣと略称する）、基地局（Ｎｏｄｅ  Ｂ）及びホーム基地局（Ｈｏｍｅ  Ｎｏｄｅ  Ｂ、ＨＮＢ）等を含んでもよい。この他、３ＧＰＰアクセスネットワークのネットエレメントは、既存の３ＧＰＰアクセスネットワークのネットエレメントの機能を具備するとともに、下りユーザデータをトラフィック分配し及び共通データソースに属する上りユーザデータを結合する機能を具備し、
上記ＷＬＡＮアクセスネットワークのネットエレメントは、ＷＬＡＮアクセスポイント（Ａｃｃｅｓｓ  Ｐｏｉｎｔ、ＡＰと略称する）を含み、さらにＷＬＡＮアクセスコントロールネットエレメント（Ａｃｃｅｓｓ  Ｃｏｎｔｒｏｌ、ＡＣと略称する）を含んでもよい。ＷＬＡＮアクセスネットワークのネットエレメントの機能は既存のＷＬＡＮアクセスネットワークのネットエレメントの機能と類似し、主にユーザデータの伝送を担当し、既存のＷＬＡＮアクセスネットワークのネットエレメントとの区別は、ＷＬＡＮアクセスネットワークのネットエレメントが伝送するデータがトラフィック分配インターフェースを介して３ＧＰＰアクセスネットワークのネットエレメントとインタラクションするトラフィック分配データであることにある。
【００４３】
この他、ＷＬＡＮアクセスネットワークのネットエレメントと３ＧＰＰアクセスネットワークのネットエレメントとの間のトラフィック分配インターフェースは、主に３ＧＰＰアクセスネットワークのネットエレメントとＷＬＡＮアクセスネットワークのネットエレメントとの間にトラフィック分配したユーザデータを伝送することを担当する。該ユーザデータは、イーサネット伝送プロトコルを、例えば、ＩＰ層（図３（ａ）に示すように）又はより高いレベルの伝送プロトコル伝送（図３（ｂ）に示すＴｕｎｎｅｌｉｎｇ（トンネリング）プロトコル、図３（ｃ）に示すＵＤＰ（Ｕｓｅｒ  Ｄａｔａｇｒａｍ  Ｐｒｏｔｏｃｏｌ、ユーザデータグラムプロトコル））を採用して伝送することができる。該トラフィック分配インターフェースについて、無線インターフェースを用いて伝送を行う場合と、有線インターフェースを用いて伝送を行う場合との区別は、主に低層（即ちＬ１、Ｌ２層）伝送プロトコルが無線接続に基づく伝送プロトコルを用いることにある。
【００４４】
ユーザ装置は、少なくともＷＬＡＮ及び１種の３ＧＰＰ無線アクセス技術をサポートするマルチモード端末であり、それぞれ３ＧＰＰ無線インターフェースプロトコル及びＷＬＡＮ無線インターフェースプロトコルを介して、対応する３ＧＰＰアクセスネットワークのネットエレメント及びＷＬＡＮアクセスネットワークのネットエレメントとデータ伝送を行う。そのうち、３ＧＰＰ無線インターフェースプロトコル及びＷＬＡＮ無線インターフェースプロトコルは、それぞれ既存のＵｕインターフェース伝送プロトコル及び８０２．１１プロトコルと一致している。
【００４５】
好ましくは、ＷＬＡＮアクセスネットワークのネットエレメントとユーザ装置との間に伝送されるユーザデータは、下り向きにおいて３ＧＰＰアクセスネットワークのネットエレメントがＷＬＡＮアクセスネットワークのネットエレメントへ伝送するトラフィック分配ユーザデータであり、上り向きにおいてＵＥが発生したトラフィック分配ユーザデータであり、ＷＬＡＮアクセスネットワークのネットエレメントは受信した後トラフィック分配インターフェースを介して３ＧＰＰアクセスネットワークのネットエレメントに伝送する必要がある。そのうち、ＵＥは、トラフィック分配ポリシーに基づいて上りユーザデータをトラフィック分配し、トラフィック分配した後、一部の上りユーザデータを３ＧＰＰアクセスネットワークに送信し、他方の一部の上りユーザデータをＷＬＡＮアクセスネットワークに送信する。該トラフィック分配ポリシーは、該ＵＥ中にプリセットされてもよく、３ＧＰＰアクセスネットワークのネットエレメントが該ＵＥに設定してもよい。
【００４６】
この他、ユーザデータのトラフィック分配は、ＩＰ層、又はパケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰと略称する）層、又は無線リンク制御（Ｒａｄｉｏ  Ｌｉｎｋ  Ｃｏｎｔｒｏｌ、ＲＬＣと略称する）層、又はメディアアクセス制御（Ｍｅｄｉｕｍ  Ａｃｃｅｓｓ  Ｃｏｎｔｒｏｌ、ＭＡＣと略称する）層で起こしてもよい。
【００４７】
トラフィック分配レベルの相違に基づいて、異なるパッケージ形式でトラフィック分配ユーザデータをパッケージすることができる。トラフィック分配をＩＰ層で起こす場合には、図４（ａ）に示すように、送信者は異なるユーザＩＰデータパケットをそれぞれ異なるルート（即ち３ＧＰＰ無線インターフェース又はＷＬＡＮ無線インターフェース）により受信者に伝送し、ＰＤＣＰ層で起こす場合には、図４（ｂ）に示すように、該トラフィック分配ユーザデータは、ＰＤＣＰ層でパッケージ処理される。同じように、ＲＬＣ層及びＭＡＣ層にも同様のトラフィック分配が適用されるが、ここでは繰り返して説明しない。
【００４８】
好ましくは、トラフィック分配ユーザデータは、低層８０２．１１プロトコルにより伝送される時、送信者が、８０２．１１ＭＡＣ層プロトコルの上に、論理リンク制御層（Ｌｏｇｉｃ  Ｌｉｎｋ  Ｃｏｎｔｒｏｌ、ＬＬＣと略称する）プロトコルを用いてパッケージ処理を行うことができる。それに対応して、受信者も同様にアンパッキング処理を行う。ここで、下りユーザデータに対して、送信者は３ＧＰＰアクセスネットワークのネットエレメントであり、受信者はユーザ装置であり、上りユーザデータに対して、送信者はユーザ装置であり、受信者は３ＧＰＰアクセスネットワークのネットエレメントである。
【００４９】
上記システムアーキテクチャに基づいて、制御信号は、３ＧＰＰアクセスネットワークのネットエレメントにより直接的にＵＥに送信される。従って、３ＧＰＰアクセスネットワークのネットエレメントは、システム全体を支配し、ＷＬＡＮアクセスネットワークのネットエレメントは、一部のユーザデータの伝送を担当する。つまり、ＵＥが具体的にどのＷＬＡＮアクセスネットワークにアクセスするかは、完全に３ＧＰＰアクセスネットワークによりコントロール又は補助されることができる。なお、ＵＥは、３ＧＰＰアクセスネットワークによりコントロールされているので、そのＷＬＡＮ側の送受信機は３ＧＰＰアクセスネットワークにより開閉をコントロールすることができ、このようにしてＵＥの電気節約の目的を達成する。
【００５０】
図５に示すように、本実施例中において、ユーザ装置は、無線ローカルエリアネットワーク（ＷＬＡＮ）アクセス機能及び少なくとも１種の第三世代パートナーシッププロジェクト（３ＧＰＰ）無線アクセス機能を有し、受信モジュール５０、送信モジュール５１、トラフィック分配モジュール５２、及び結合モジュール５３を含み、
受信モジュール５０は、３ＧＰＰ無線インターフェースを介して３ＧＰＰアクセスネットワークのネットエレメントから送信してきた下りユーザデータを受信し、及びＷＬＡＮ無線インターフェースを介してＷＬＡＮアクセスネットワークのネットエレメントから送信してきた下りユーザデータを受信するように設置され、
結合モジュール５１は、受信モジュール５０が受信した、３ＧＰＰアクセスネットワークのネットエレメント及びＷＬＡＮアクセスネットワークのネットエレメントからそれぞれ送信してきた下りユーザデータを、結合するように設置され、
トラフィック分配モジュール５２は、送信待ちの上りユーザデータをトラフィック分配するように設置され、
送信モジュール５３は、トラフィック分配モジュール５２がトラフィック分配した一部の上りユーザデータを３ＧＰＰアクセスネットワークのネットエレメントに送信し、他方の一部の上りユーザデータをＷＬＡＮアクセスネットワークのネットエレメントに送信するように設置される。
【００５１】
好ましくは、
トラフィック分配モジュール５２は、ＩＰ層、データパケットコンバージェンスプロトコル層、無線リンク制御層、又はメディアアクセス制御（ＭＡＣ）層において、上りユーザデータをトラフィック分配するように設置される。
【００５２】
好ましくは、
トラフィック分配モジュール５２は、ローカルでプリセットされたトラフィック分配ポリシー又は３ＧＰＰアクセスネットワークのネットエレメントが本装置に設定したトラフィック分配ポリシーに基づいて、送信待ちの上りユーザデータをトラフィック分配するように設置される。
【００５３】
好ましくは、
受信モジュール５０は、さらに直接的に３ＧＰＰアクセスネットワークのネットエレメントから送信してきた制御プレーン信号を受信するように設置される。
【００５４】
それに対応して、本実施例中において、コアネットワーク及びアクセスネットワーク側に使用されるマルチネットワークジョイント伝送を行う方法であって、
アクセスネットワークは、第三世代パートナーシッププロジェクト（３ＧＰＰ）アクセスネットワークのネットエレメント及び無線ローカルエリアネットワーク（ＷＬＡＮ）アクセスネットワークのネットエレメントを含み、コアネットワークは３ＧＰＰコアネットワークのネットエレメントを含み、
当該方法は、
３ＧＰＰアクセスネットワークのネットエレメントがネットワークインターフェースを介してコアネットワークのネットエレメントに接続され、トラフィック分配インターフェースを介してＷＬＡＮアクセスネットワークのネットエレメントに接続され、３ＧＰＰ無線インターフェースを介してユーザ装置に接続され、受信した上りユーザデータを結合し、下りユーザデータをトラフィック分配し、一部の下りユーザデータをＷＬＡＮアクセスネットワークのネットエレメントにトラフィック分配すること、
ＷＬＡＮアクセスネットワークのネットエレメントはＷＬＡＮ無線インターフェースを介してユーザ装置に接続され、３ＧＰＰアクセスネットワークのネットエレメントとユーザ装置との間に上りユーザデータ及び下りユーザデータを伝送することを含む。
【００５５】
好ましくは、
３ＧＰＰアクセスネットワークのネットエレメントは、コアネットワークから送信してきた下りユーザデータをトラフィック分配した後、少なくとも一部の下りユーザデータを、トラフィック分配インターフェースを介してＷＬＡＮアクセスネットワークのネットエレメントに送信し、
ＷＬＡＮアクセスネットワークのネットエレメントは、トラフィック分配インターフェースから受信した下りユーザデータをユーザ装置に送信する。
【００５６】
好ましくは、当該方法はさらに、
３ＧＰＰアクセスネットワークのネットエレメントは、トラフィック分配インターフェースを介さずにＷＬＡＮアクセスネットワークのネットエレメントに送信する一部の下りユーザデータを、ユーザ装置との間の前記３ＧＰＰ無線インターフェースを介してユーザ装置に送信することを含む。
【００５７】
好ましくは、
３ＧＰＰアクセスネットワークのネットエレメントは、少なくとも一部の下りユーザデータを、イーサネット伝送プロトコル又は無線接続に基づく伝送プロトコルの形式にパッケージし、トラフィック分配インターフェースを介してＷＬＡＮアクセスネットワークのネットエレメントに送信する。
【００５８】
好ましくは、
３ＧＰＰアクセスネットワークのネットエレメントは、ＩＰ層、データパケットコンバージェンスプロトコル層、無線リンク制御層、又はメディアアクセス制御（ＭＡＣ）層において、下りユーザデータをトラフィック分配する。
【００５９】
好ましくは、
３ＧＰＰアクセスネットワークのネットエレメントは、自装置のロード、ＷＬＡＮアクセスネットワークのネットエレメントのロード、ユーザ装置が所在する無線環境品質又はその他のプリセットされたアルゴリズムのうちのいずれか一つ又はいずれかの組合せに基づいて、下りユーザデータをトラフィック分配する。
【００６０】
好ましくは、
ＷＬＡＮアクセスネットワークのネットエレメントは、受信した、ユーザ装置から送信してきた上りユーザデータを３ＧＰＰアクセスネットワークのネットエレメントに送信し
３ＧＰＰアクセスネットワークのネットエレメントは、共通データソースに属するユーザ装置から送信してきた上りユーザデータ及びＷＬＡＮアクセスネットワークのネットエレメントから送信してきた上りユーザデータを結合する。
【００６１】
好ましくは、当該方法はさらに、
３ＧＰＰアクセスネットワークのネットエレメントは、直接的にコアネットワークのネットエレメントとユーザ装置との間に制御プレーン信号を伝送することを含む。
【００６２】
それに対応して、本実施例中において、ユーザ装置側に適用されるマルチネットワークジョイント伝送を行う方法であって、ユーザ装置は、無線ローカルエリアネットワーク（ＷＬＡＮ）アクセス機能及び少なくとも１種の第三世代パートナーシッププロジェクト（３ＧＰＰ）無線アクセス機能を有し、当該方法は、
３ＧＰＰ無線インターフェースを介して３ＧＰＰアクセスネットワークのネットエレメントから送信してきた下りユーザデータを受信し、ＷＬＡＮ無線インターフェースを介してＷＬＡＮアクセスネットワークのネットエレメントから送信してきた下りユーザデータを受信すること、
受信した、３ＧＰＰアクセスネットワークのネットエレメントとＷＬＡＮアクセスネットワークのネットエレメントからそれぞれ送信してきた下りユーザデータを、結合すること、
送信待ちの上りユーザデータをトラフィック分配すること、
トラフィック分配モジュールがトラフィック分配した一部の上りユーザデータを３ＧＰＰアクセスネットワークのネットエレメントに送信し、他方の一部上りユーザデータをＷＬＡＮアクセスネットワークのネットエレメントに送信することを含む。
【００６３】
好ましくは、
ＩＰ層、データパケットコンバージェンスプロトコル層、無線リンク制御層、又はメディアアクセス制御（ＭＡＣ）層において、上りユーザデータをトラフィック分配する。
【００６４】
好ましくは、
ローカルでプリセットされたトラフィック分配ポリシー又は３ＧＰＰアクセスネットワークのネットエレメントが自装置に設定したトラフィック分配ポリシーに基づいて、送信待ちの上りユーザデータをトラフィック分配する。
【００６５】
好ましくは、当該方法はさらに、
直接的に３ＧＰＰアクセスネットワークのネットエレメントから送信してきた制御プレーン信号を受信することを含む。
【００６６】
以下、異なる実施例を参照しながら本発明を更に説明する。
【００６７】
応用示例一：ＬＴＥ及びＷＬＡＮのジョイント伝送を例とする。
【００６８】
図６に示すように、ｅＮＢは、Ｓ１インターフェースを介してＬＴＥコアネットワークに接続され、ＲＡＮ（Ｒａｄｉｏ  Ａｃｃｅｓｓ  Ｎｅｔｗｏｒｋ、無線アクセスネットワーク）側では、ｅＮＢはさらにトラフィック分配インターフェースを介してＷＬＡＮ  ＡＰに接続され、そのうちトラフィック分配インターフェースでの低層のデータはイーサネットプロトコルに基づいてデータ交換を行い、ＵＥは、それぞれＵｕインターフェースプロトコル及びＷＬＡＮ無線インターフェースプロトコルに従って、ｅＮＢ及びＷＬＡＮ  ＡＰとデータ伝送を行う。
【００６９】
アクセスネットワークとＵＥとの間に伝送している制御プレーン信号に対して、依然としてｅＮＢとＵＥによりＵｕインターフェースを介して直接インタラクションを行い、データトラフィック分配に参与しない。
【００７０】
下りユーザデータに対して、ｅＮＢは、Ｓ１インターフェースを介してコアネットワークから送信してきた異なるキャリアでのユーザＩＰデータを受信した後、異なるキャリアでのユーザＩＰデータをＩＰ層でトラフィック分配する。ｅＮＢ、及びＷＬＡＮ  ＡＰの少なくともいずれかの負荷に基づいてｅＮＢがトラフィック分配を決めてもよく、又はＵＥが所在する無線環境品質（即ちＵＥのＬＴＥ及びＷＬＡＮ無線環境品質への測定）等に基づいて決めてもよく、又はその他の所定アルゴリズムに基づいて決めてもよい。もちろん、ｅＮＢも該ユーザＩＰデータをその他のプロトコル層、例えばＰＤＣＰ層、ＲＬＣ層又はＭＡＣ層等でトラフィック分配してもよく、区別はこの時トラフィック分配するデータは上層プロトコル層により処理されたプロトコルデータユニット（Ｐｒｏｔｏｃｏｌ  Ｄａｔａ  Ｕｎｉｔ、ＰＤＵと略称する）であり、例えば、ＰＤＣＰ層でトラフィック分配を行う時、トラフィック分配された後のユーザデータはＰＤＣＰ  ＰＤＵである。
【００７１】
そのうち、トラフィック分配した後、ｅＮＢは、一部のユーザＩＰデータを、Ｕｕインターフェースを介して相応のＵＥに伝送し、即ち、対応のＰＤＣＰ、ＲＬＣ又はＭＡＣ層データパッケージ処理を行う必要がある。具体的なメカニズムは既存の無線インターフェース伝送メカニズムと一致するため、繰り返して説明しない。一部のユーザＩＰデータはｅＮＢによりトラフィック分配インターフェースを介してＷＬＡＮ  ＡＰに伝送され、且つＷＬＡＮ  ＡＰによりＷＬＡＮ無線インターフェース（即ち８０２．１１プロトコルに基づく）を介して相応のＵＥに伝送される。そのうち、図７（ａ）に示すように、トラフィック分配インターフェースのユーザＩＰデータは、ＩＰデータパケットに基づいて伝送することができ、この時、データはＩＰパケットのペイロード（ｐａｙｌｏａｄ）とし、ＩＰパケットヘッドにおける送信元アドレス及び宛先アドレスはそれぞれ送信者及び受信者のＩＰアドレスである。ただし、当該ＩＰアドレスはプリセットされてもよく、送信者及び受信者がその他のフロー（例えばＤＨＣＰ（Ｄｙｎａｍｉｃ  Ｈｏｓｔ  Ｃｏｎｆｉｇｕｒａｔｉｏｎ  Ｐｒｏｔｏｃｏｌ、ダイナミックホストコンフィギュレーションプロトコル）プロトコル）により協議して取得されてもよく、図７（ｂ）に示すように、又はトンネリングプロトコルによりパッケージされてもよく、例えばＧＴＰ（ＧＰＲＳ  Ｔｕｎｎｅｌｌｉｎｇ  Ｐｒｏｔｏｃｏｌ、ＧＰＲＳトンネリングプロトコル）プロトコル（図７（ｃ）に示すように）により行い、この時、ＭＡＣ  ＰＤＵはＧＴＰデータパケットのペイロードとし、ＧＴＰトンネルのトランスポート層アドレス及びポート番号はプリセットされてもよく、受信及び送信両者がその他のフロー（例えばＬ３プロトコルフロー）により取得されてもよく、高層トンネリングプロトコルはさらにＧＲＥ（Ｇｅｎｅｒｉｃ  Ｒｏｕｔｉｎｇ  Ｅｎｃａｐｓｕｌａｔｉｏｎ、汎用ルーティングカプセル化）プロトコル又はＩＰｓｅｃ（Ｉｎｔｅｒｎｅｔ  Ｐｒｏｔｏｃｏｌ  Ｓｅｃｕｒｉｔｙ、インターネットプロトコルセキュリティ）プロトコル等、又はその他の高層接続プロトコル形式を用いてもよい。そのうち、図８（ａ）に示すように、ＷＬＡＮ無線インターフェースを介して伝送するユーザデータはＷＬＡＮ  ＡＰがトラフィック分配データをパッケージするＩＰデータパケットであってもよく、この時、トラフィック分配データ（ここでは即ちＩＰパケット）は直接的に新しいローカルＩＰデータパケットのペイロードとし、ローカルＩＰパケットヘッドにおける送信元アドレス及び宛先アドレスはそれぞれ送信者及び受信者のＩＰアドレスであり、当該ＩＰアドレスはプリセットされてもよく、送信者及び受信者がその他のフロー（例えばＤＨＣＰプロトコル）により協議して取得されてもよく、図８（ｂ）に示すように、又はその他の伝送プロトコルデータパケット、例えば多重化ＬＴＥのＰＤＣＰ、はＲＬＣ、及びＭＡＣ層プロトコルの少なくともいずれかにより協議して取得されてもよく、この時、ＷＬＡＮ  ＡＰはトラフィック分配ＩＰデータパケットを対応するＰＤＣＰ、ＲＬＣ、ＭＡＣ形式でパッケージし、そのうち、各プロトコル層パラメーターはｅＮＢによ��設定されてもよく、最終的なプロトコルＰＤＵはＷＬＡＮ  ＭＡＣ層のペイロードとして送信される。トラフィック分配ユーザデータをＷＬＡＮ  ＭＡＣ層に送信する前、さらにＬＬＣプロトコルを利用して更にパッケージしてもよく、この時ＬＬＣデータパケットにおける目的サービスアクセスノード及び送信元サービスアクセスノードフィールドはそれぞれ受信及び送信両者の同等プロトコル層を指し、トラフィック分配データはＬＬＣのペイロードとする。
【００７２】
上記トラフィック分配インターフェース及びＷＬＡＮ無線インターフェースのプロトコルスタックは任意に組み合せることができる。図９に示すように、ＵＥとｅＮＢとの間はエンドツーエンドのトンネルを作成してデータ伝送に用いてもよい。そのうちトンネリングプロトコルは既存のトンネル技術、例えばＩＰｓｅｃプロトコル、ＧＴＰプロトコル、又はＧＲＥプロトコル等を用いてもよく、その他のトンネリングプロトコルであってもよい。
【００７３】
好ましくは、トラフィック分配インターフェース及びＷＬＡＮ無線インターフェースは実際のニーズに応じて、さらにセキュリティ保護メカニズムを増加してもよく、例えば、ＩＰＳｅｃ又はその他のトンネルセキュリティメカニズムにより、実現方法と既存のセキュリティメカニズムの一致性を保護する。、ここでは繰り返して説明しない。
【００７４】
上りユーザデータは、下りユーザデータの伝送ルート及び使用インターフェースプロトコルスタックと同じであり、異なるところは送信者がＵＥ、受信者がｅＮＢ及びＷＬＡＮ  ＡＰであることにある。ここでは繰り返して説明しない。
【００７５】
もちろん、上記アーキテクチャは同様にＲＮとＨｅＮＢの組合せのシーンに適用でき、異なるところはアクセスネットワークのネットエレメントが変化することのみにあり、ネットエレメントのバックホールリンクも少々異なり、例えば、ＲＮのバックホールリンクはＬＴＥ無線インターフェースに基づき、ＨｅＮＢのバックホールリンクはさらにホーム基地局ゲートウェイにより管理されるなどの可能性もある。ところが、アクセスネットワークのネットエレメント間のトラフィック分配インターフェースプロトコル及びトラフィック分配方式はいずれも同じである。
【００７６】
応用示例二：ＵＭＴＳネットワーク及びＷＬＡＮのジョイント伝送を例とする。
【００７７】
図１０（ａ）に示すように、ＲＮＣはＩｕインターフェースを介してコアネットワークに接続され、ＲＡＮ側では、ＲＮＣはさらにトラフィック分配インターフェースを介してＷＬＡＮ  ＡＰに接続され、そのうちトラフィック分配インターフェースでのデータ低層はイーサネットプロトコルに基づいてデータ交換を行い、ＵＥはそれぞれＵｕインターフェースプロトコル及びＷＬＡＮ無線インターフェースプロトコルに従ってＲＮＣ及びＷＬＡＮ  ＡＰとデータ伝送を行う。
【００７８】
図１０（ｂ）に示すように、ＵＭＴＳネットワークとＷＬＡＮ  ＡＰとの間のトラフィック分配インターフェースはＮｏｄｅＢとＡＰとの間に作成されてもよい。
【００７９】
アクセスネットワークとＵＥとの間に伝送している制御プレーン信号に対して、依然としてＲＮＣとＵＥによりＵｕインターフェースを介してインタラクションを行い、トラフィック分配に参与しない。
【００８０】
下りユーザデータに対して、ＲＮＣは、Ｉｕインターフェースを介してコアネットワークから送信してきた異なるキャリアでのユーザＩＰデータを受信した後、異なるキャリアでのユーザＩＰデータをＭＡＣ層でトラフィック分配し、ＲＮＣ、ＮｏｄｅＢ、及びＷＬＡＮ  ＡＰの少なくともいずれかの負荷に基づいて、ＲＮＣがトラフィック分配を決めてもよく、又はＵＥが所在する無線環境品質（即ちＵＥのＵＭＴＳ及びＷＬＡＮ無線環境品質への測定）等に基づいて決めてもよく、又はその他の所定アルゴリズムに基づいて決めてもよい。ＲＮＣもユーザＩＰデータをその他のプロトコル層、例えばＩＰ層、ＰＤＣＰ層、又はＲＬＣ層等でトラフィック分配してもよく、異なる点はトラフィック分配した後のユーザデータが上層プロトコル層により処理されたＰＤＵであることにある。
【００８１】
ここでトラフィック分配した後、ＲＮＣは、一部のユーザＩＰデータを、Ｕｕインターフェースを介して相応のＵＥに伝送し、即ち、対応のＰＤＣＰ、ＲＬＣ又はＭＡＣ層データパッケージ処理を行う必要があり、具体的なメカニズムは既存の無線インターフェース伝送メカニズムと一致するため、繰り返して説明せず、
一部のユーザデータは、ＲＮＣによりレイヤ２プロトコルによって処理される。即ち、ＵＭＴＳ  ＰＤＣＰ、ＲＬＣ、又はＭＡＣ層でパッケージ処理した後、ＲＮＣは、ＭＡＣプロトコルデータパケットを、トラフィック分配インターフェースを介してＷＬＡＮ  ＡＰに伝送し、且つＷＬＡＮ  ＡＰによりＷＬＡＮ無線インターフェース（即ち８０２．１１プロトコルに基づく）を、相応のＵＥに伝送する。ここで、図７（ａ）に示すように、トラフィック分配インターフェースのユーザデータはＩＰデータパケット基づいて伝送を行うことができ、この時、ＭＡＣ  ＰＤＵはＩＰパケットのペイロードとし、ＩＰパケットヘッドにおける送信元アドレス及び宛先アドレスはそれぞれ送信者及び受信者のＩＰアドレスであり、当該ＩＰアドレスはプリセットされてもよく、送信者及び受信者がその他のフロー（例えばＤＨＣＰプロトコル）により協議して取得されてもよく、図７（ｂ）に示すように、又はトンネリングプロトコルによりパッケージを行い、例えばＧＴＰプロトコル（図７（ｃ）に示すように）によりパッケージを行い、この時ＭＡＣ  ＰＤＵはＧＴＰデータパケットのペイロードとし、ＧＴＰトンネルのトランスポート層アドレス及びポート番号はプリセットされてもよく、受信及び送信両者がその他のフロー（例えばＬ３プロトコルフロー）により取得されてもよく、高層トンネリングプロトコルはさらにＧＲＥプロトコル又はＩＰｓｅｃプロトコル等、又はその他の高層接続プロトコル形式を用いてもよい。そのうち、図１１（ａ）に示すように、ＷＬＡＮ無線インターフェースを介して伝送するユーザデータはトラフィック分配してから得た未加工のデータであってもよく、ＷＬＡＮ  ＡＰでトラフィック分配データをパッケージした後のＩＰデータパケットであってもよく、この時、トラフィック分配データ（ここでは即ちＭＡＣ  ＰＤＵパケット）を直接的にＩＰデータパケットのペイロードとし、ＩＰパケットヘッドにおける送信元アドレス及び宛先アドレスはそれぞれ送信者及び受信者ＩＰのアドレスであり、該ＩＰアドレスはプリセットされてもよく、送信者及び受信者がその他のフロー（例えばＤＨＣＰプロトコル）により協議して取得されてもよく、又はその他の伝送プロトコルデータパケット、図１１（ｂ）に示すように、例えばＬＬＣにより協議して取得されてもよく、この時、ＬＬＣデータパケットにおける目的サービスアクセスノード及び送信元サービスアクセスノードフィールドは、それぞれ受信及び送信両者のＭＡＣ層を指し、トラフィック分配データはＬＬＣのペイロードとする。
【００８２】
上記トラフィック分配インターフェース及びＷＬＡＮ無線インターフェースのプロトコルスタックは、任意に組み合せることができる。図１２に示すように、ＵＥとＲＮＣとの間はエンドツーエンドのトンネルを作成してデータ伝送に用いてもよい。そのうち、トンネリングプロトコルはＩＰｓｅｃプロトコル、ＧＴＰプロトコル又はＧＲＥプロトコル等を用いてもよく、その他のトンネリングプロトコルを用いてもよい。
【００８３】
好ましくは、トラフィック分配インターフェース及びＷＬＡＮ無線インターフェースは、実際のニーズに応じて、さらにセキュリティ保護メカニズムを増加してもよく、例えば、ＩＰＳｅｃ又はその他のトンネルセキュリティメカニズムにより、実現方法と既存のセキュリティメカニズムの一致性を保護する。ここでは繰り返して説明しない。
【００８４】
上りユーザデータは、下りユーザデータの伝送ルート及び使用インターフェースプロトコルスタックと同じであり、異なるところは送信者がＵＥ、受信者がＲＮＣ及びＷＬＡＮ  ＡＰであることにある。ここでは繰り返して説明しない。
【００８５】
なお、トラフィック分配インターフェースがＮｏｄｅＢとＷＬＡＮ  ＡＰとの間に作成されると、ＮｏｄｅＢはユーザデータをトラフィック分配する必要があり、ＮｏｄｅＢがトラフィック分配を決める依拠はＮｏｄｅＢ所定アルゴリズムに基づいてもよく、ＲＮＣによりトリガーされてもよい。ＮｏｄｅＢで行うデータトラフィック分配方法、及びトラフィック分配インターフェースでのトラフィック分配データ伝送メカニズムはＲＮＣの処理方法と類似する。ここでは繰り返して説明しない。
【００８６】
上記アーキテクチャは同様にＨＮＢ等のその他のシーンに適用でき、異なるところはアクセスネットワークのネットエレメントが変化することのみにある。ネットエレメントのバックホールリンクも少々異なり、例えばＨＮＢのバックホールリンクはさらにホーム基地局ゲートウェイにより管理されるなどの可能性がある。ところが、アクセスネットワークとＷＬＡＮ  ＡＰの間のトラフィック分配インターフェースプロトコル及びトラフィック分配方式はいずれも同じである。
【００８７】
当業者は、上記方法における全部又は一部のステップをプログラムによって関連ハードウェアに命令を出して完成させることができ、当該プログラムはコンピュータ読み取り可能な記憶媒体、例えば読取り専用メモリ、ディスク又は光ディスク等に記憶してもよいと理解することができる。選択肢として、上記実施例の全部又は一部のステップが一つ又は複数のＩＣにより実現されてもよい。それに対応して、上記実施例における各モジュールまたはユニットはハードウェアの形式で実現されてもよく、ソフトウェア機能モジュールの形式で実現されてもよい。本発明は如何なる特定形式のハードウェアとソフトウェアの組合せに限らない。
【００８８】
以上は本発明の好ましい実施例に過ぎず、本発明の保護範囲を制限するものではなく、本発明の発明内容に基づいて、さらに他の多種の実施例を有してもよい。本分野に詳しい当業者は、本発明の趣旨とその実質を逸脱しない場合に、本発明に基づいて各種の相応の変更と変形を行うことができるが、本発明の技術案の趣旨と範囲の内に行ったいかなる改定、同等交換、改良などは、いずれも本発明の保護範囲内に含まれる。
【産業上の利用可能性】
【００８９】
本発明の実施形態を採用した後、オペレータはライセンスプレートが必要ではないＷＬＡＮ周波数帯域で有料周波数帯域のデータ伝送をトラフィック分配し、３ＧＰＰアクセスネットワークのデータトラヒックをトラフィック分配し、ネットワーク負荷を軽減させ、周波数帯域及びコストを節約し、オペレータは既存のＷＬＡＮアクセスポイントネットエレメントを多重化し、ネットワーク側のオペレーション維持に要する支出を節約するとともに、ＵＥのデータスループットを増加し、ユーザの現今のマルチメディアサービスニーズを満たし、さらに、本アーキテクチャはプロトコル及び端末装置への最大互換性を保証し、システム運転がより合理的で、効率的である。
【図１】
2015519792.tif 000003
【図２】
2015519792.tif 000004
【図３】
2015519792.tif 000005
【図４】
2015519792.tif 000006
【図５】
2015519792.tif 000007
【図６】
2015519792.tif 000008
【図７】
2015519792.tif 000009
【図８】
2015519792.tif 000010
【図９】
2015519792.tif 000011
【図１０】
2015519792.tif 000012
【図１１】
2015519792.tif 000013
【図１２】
2015519792.tif 000014
【手続補正書】
【提出日】平成26年10月17日(2014.10.17)
【手続補正１】
【補正対象書類名】特許請求の範囲
【補正対象項目名】請求項３
【補正方法】変更
【補正の内容】
【請求項３】
前記３ＧＰＰアクセスネットワークのネットエレメントは、さらに前記トラフィック分配インターフェースを介さずに前記ＷＬＡＮアクセスネットワークのネットエレメントに送信する一部の下りユーザデータを、前記ユーザ装置との間の前記３ＧＰＰ無線インターフェースを介して前記ユーザ装置に送信するように設置される請求項２に記載のシステム。
【手続補正２】
【補正対象書類名】特許請求の範囲
【補正対象項目名】請求項１３
【補正方法】変更
【補正の内容】
【請求項１３】
前記受信モジュールは、さらに直接的に前記３ＧＰＰアクセスネットワークのネットエレメントから送信してきた制御プレーン信号を受信するように設置される請求項１０に記載のユーザ装置。
【手続補正３】
【補正対象書類名】特許請求の範囲
【補正対象項目名】請求項１６
【補正方法】変更
【補正の内容】
【請求項１６】
前記３ＧＰＰアクセスネットワークのネットエレメントは前記トラフィック分配インターフェースを介さずに前記ＷＬＡＮアクセスネットワークのネットエレメントに送信する一部の下りユーザデータを、前記ユーザ装置との間の前記３ＧＰＰ無線インターフェースを介して前記ユーザ装置に送信することをさらに含む請求項１５に記載の方法。
【手続補正４】
【補正対象書類名】明細書
【補正対象項目名】００１４
【補正方法】変更
【補正の内容】
【００１４】
好ましくは、
前記３ＧＰＰアクセスネットワークのネットエレメントは、さらに前記トラフィック分配インターフェースを介さずに、前記ＷＬＡＮアクセスネットワークのネットエレメントに送信する一部の下りユーザデータを、前記ユーザ装置との間の前記３ＧＰＰ無線インターフェースを介して前記ユーザ装置に送信するように設置される。
【手続補正５】
【補正対象書類名】明細書
【補正対象項目名】００２７
【補正方法】変更
【補正の内容】
【００２７】
好ましくは、前記方法は、
前記３ＧＰＰアクセスネットワークのネットエレメントは、前記トラフィック分配インターフェースを介さずに、前記ＷＬＡＮアクセスネットワークのネットエレメントに送信する一部の下りユーザデータを、前記ユーザ装置との間の前記３ＧＰＰ無線インターフェースを介して前記ユーザ装置に送信することをさらに含む。
【手続補正６】
【補正対象書類名】明細書
【補正対象項目名】００５０
【補正方法】変更
【補正の内容】
【００５０】
図５に示すように、本実施例中において、ユーザ装置は、無線ローカルエリアネットワーク（ＷＬＡＮ）アクセス機能及び少なくとも１種の第三世代パートナーシッププロジェクト（３ＧＰＰ）無線アクセス機能を有し、受信モジュール５０、結合モジュール５１、トラフィック分配モジュール５２、及び送信モジュール５３を含み、
受信モジュール５０は、３ＧＰＰ無線インターフェースを介して３ＧＰＰアクセスネットワークのネットエレメントから送信してきた下りユーザデータを受信し、及びＷＬＡＮ無線インターフェースを介してＷＬＡＮアクセスネットワークのネットエレメントから送信してきた下りユーザデータを受信するように設置され、
結合モジュール５１は、受信モジュール５０が受信した、３ＧＰＰアクセスネットワークのネットエレメント及びＷＬＡＮアクセスネットワークのネットエレメントからそれぞれ送信してきた下りユーザデータを、結合するように設置され、
トラフィック分配モジュール５２は、送信待ちの上りユーザデータをトラフィック分配するように設置され、
送信モジュール５３は、トラフィック分配モジュール５２がトラフィック分配した一部の上りユーザデータを３ＧＰＰアクセスネットワークのネットエレメントに送信し、他方の一部の上りユーザデータをＷＬＡＮアクセスネットワークのネットエレメントに送信するように設置される。 
【国際調査報告】
2015519792.tif 000015
2015519792.tif 000016
2015519792.tif 000017
2015519792.tif 000018